(57)【要約】【課題】清掃性を向上させた水栓を提供すること。【解決手段】湯水を吐水する吐水口を形成するスパウトと、スパウト内に配置されて、吐水口から吐水される湯水の流路を形成する流路形成部と、スパウトの吐水口に配置され、流路形成部の流路を流れる湯水をスパウトの外部へ吐水する複数の吐水孔を形成したシャワーフェイスと、を備える、水栓であって、シャワーフェイスは、アクリル樹脂により一体形成されるとともに、流路形成部又はスパウトに連結される筒状の筒状部を有し、筒状部の外周部又は内周部には、全周よりも短い長さで周方向に延びる突起が形成されており、突起が流路形成部又はスパウトに回転嵌合することにより筒状部が連結される。【選択図】図１０Ａ
2019116796.tif 000002
【特許請求の範囲】
【請求項１】
湯水を吐水する吐水口を形成するスパウトと、
前記スパウト内に配置されて、前記吐水口から吐水される湯水の流路を形成する流路形成部と、
前記スパウトの前記吐水口に配置され、前記流路形成部の流路を流れる湯水を前記スパウトの外部へ吐水する複数の吐水孔を形成したシャワーフェイスと、を備える、水栓であって、
前記シャワーフェイスは、アクリル樹脂により一体形成されるとともに、前記流路形成部又は前記スパウトに連結される筒状の筒状部を有し、
前記筒状部の外周部又は内周部には、全周よりも短い長さで周方向に延びる突起が形成されており、前記突起が前記流路形成部又は前記スパウトに回転嵌合することにより前記筒状部が連結される、水栓。
【請求項２】
前記シャワーフェイスの前記突起は、前記流路形成部に設けた前記突起に回転嵌合する、請求項１に記載の水栓。
【請求項３】
湯水を吐水する吐水口を形成するスパウトと、
前記スパウト内に配置されて、前記吐水口から吐水される湯水の流路を形成する流路形成部と、
前記スパウトの前記吐水口に配置され、前記流路形成部の流路を流れる湯水を前記スパウトの外部へ吐水する複数の吐水孔を形成したシャワーフェイスと、を備える、水栓であって、
前記シャワーフェイスは、アクリル樹脂により一体形成されるとともに、前記流路形成部又は前記スパウトに連結されており、かつ、当該連結をスナップフィットで行うための突起を備える、水栓。
【請求項４】
前記シャワーフェイスの前記突起は、前記流路形成部に設けられた突起に係合する、請求項３に記載の水栓。
【請求項５】
前記シャワーフェイスの前記突起は、前記スパウトに設けられた突起に係合する、請求項３に記載の水栓。
【請求項６】
湯水を吐水する吐水口を形成するスパウトと、
前記スパウト内に配置されて、前記吐水口から吐水される湯水の流路を形成する流路形成部と、
前記スパウトの前記吐水口に配置され、前記流路形成部の流路を流れる湯水を前記スパウトの外部へ吐水する複数の吐水孔を形成したシャワーフェイスと、を備える、水栓であって、
前記シャワーフェイスは、アクリル樹脂により一体形成されており、
前記シャワーフェイスと前記流路形成部又は前記スパウトとを貫通して連結する貫通ピンをさらに備える、水栓。
【請求項７】
前記貫通ピンは、前記流路形成部と前記シャワーフェイスとを貫通する、請求項６に記載の水栓。
【請求項８】
前記貫通ピンを係止する係止部材をさらに備える、請求項６又は７に記載の水栓。
【請求項９】
前記係止部材は、前記スパウトの内周部に取り付けられる、請求項８に記載の水栓。
【発明の詳細な説明】
【技術分野】
【０００１】
本発明は、水栓に関する。
【背景技術】
【０００２】
従来より、台所、洗面所などで使用される水栓が開示されている（例えば、特許文献１参照）。特許文献１に開示される水栓は、湯水を吐水するための吐水口を形成したスパウト（吐水管）と、当該吐水口に取り付けられるシャワーフェイスとを備える。
【先行技術文献】
【特許文献】
【０００３】
【特許文献１】特許第４７７３８７５号公報
【発明の概要】
【発明が解決しようとする課題】
【０００４】
特にシャワーフェイスは湯水を吐水する部分であるため、シャワーフェイスの表面には洗剤などの汚れが付着しやすい。特許文献１に開示される構成を含めて、シャワーフェイスおよびシャワーフェイスを備える水栓の清掃性をより向上させる技術の開発が求められている。
【０００５】
従って、本発明の目的は、上記問題を解決することにあって、清掃性を向上させた水栓を提供することにある。
【課題を解決するための手段】
【０００６】
上記目的を達成するために、本発明の水栓は、湯水を吐水する吐水口を形成するスパウトと、前記スパウト内に配置されて、前記吐水口から吐水される湯水の流路を形成する流路形成部と、前記スパウトの前記吐水口に配置され、前記流路形成部の流路を流れる湯水を前記スパウトの外部へ吐水する複数の吐水孔を形成したシャワーフェイスと、を備える、水栓であって、前記シャワーフェイスは、アクリル樹脂により一体形成されるとともに、前記流路形成部又は前記スパウトに連結される筒状の筒状部を有し、前記筒状部の外周部又は内周部には、全周よりも短い長さで周方向に延びる突起が形成されており、前記突起が前記流路形成部又は前記スパウトに回転嵌合することにより前記筒状部が連結される、水栓である。
【０００７】
また、本発明の水栓は、湯水を吐水する吐水口を形成するスパウトと、前記スパウト内に配置されて、前記吐水口から吐水される湯水の流路を形成する流路形成部と、前記スパウトの前記吐水口に配置され、前記流路形成部の流路を流れる湯水を前記スパウトの外部へ吐水する複数の吐水孔を形成したシャワーフェイスと、を備える、水栓であって、前記シャワーフェイスは、アクリル樹脂により一体形成されるとともに、前記流路形成部又は前記スパウトに連結されており、かつ、当該連結をスナップフィットで行うための突起を備える、水栓である。
【０００８】
また、本発明の水栓は、湯水を吐水する吐水口を形成するスパウトと、前記スパウト内に配置されて、前記吐水口から吐水される湯水の流路を形成する流路形成部と、前記スパウトの前記吐水口に配置され、前記流路形成部の流路を流れる湯水を前記スパウトの外部へ吐水する複数の吐水孔を形成したシャワーフェイスと、を備える、水栓であって、前記シャワーフェイスは、アクリル樹脂により一体形成されており、前記シャワーフェイスと前記流路形成部又は前記スパウトとを貫通して連結する貫通ピンをさらに備える、水栓である。
【発明の効果】
【０００９】
本発明の水栓によれば、清掃性を向上させることができる。
【図面の簡単な説明】
【００１０】
【図１】実施形態１における水栓の概略構成を示す図
【図２】実施形態１における水栓の概略構成を示す図
【図３】実施形態１におけるスパウトおよびその周辺部材の側面図
【図４】実施形態１におけるスパウトおよびその周辺部材の下面図
【図５】図３のＡ−Ａ断面図
【図６】図４のＢ−Ｂ断面図
【図７】実施形態１におけるスパウト単体の側面図
【図８】実施形態１におけるスパウト単体の下面図
【図９】実施形態１におけるスパウト単体の斜視図
【図１０Ａ】シャワーフェイスと流路形成部が連結する箇所の拡大断面図
【図１０Ｂ】シャワーフェイスと流路形成部の連結方法を説明するための概略図
【図１０Ｃ】シャワーフェイスと流路形成部の連結方法を説明するための概略図
【図１０Ｄ】図１０Ａの一部拡大図
【図１１】実施形態２におけるシャワーフェイスと流路形成部が連結する箇所の拡大断面図
【図１２】実施形態３におけるシャワーフェイスと流路形成部が連結する箇所の拡大断面図
【図１３Ａ】実施形態３におけるスナップフィットによる連結前の状態を示す図
【図１３Ｂ】実施形態３におけるスナップフィットによる連結後の状態を示す図
【図１４】実施形態４におけるシャワーフェイスと流路形成部が連結する箇所の拡大断面図
【発明を実施するための形態】
【００１１】
以下に、本発明に係る実施形態を図面に基づいて詳細に説明する。なお、この実施形態によって本発明が限定されるものではない。
【００１２】
（実施形態１）
図１、図２は、実施形態１における水栓２の概略斜視図である。図１は、水栓２のスパウト６が収納された状態を示し、図２は、スパウト６が前方に引き出された状態を示す。図３、図４は、スパウト６の概略構成を示す図である。図３は、スパウト６の側面図であり、図４は、スパウト６の下面図である。
【００１３】
図１、図２に示す水栓２は、台所、洗面所などで使用されるシングルレバー式の水栓装置である。水栓２は、設置台（図示せず）に立設される本体部４と、レバー５と、スパウト６と、プッシュボタン１０と、シャワーフェイス１２とを備える。
【００１４】
本体部４は、レバー５およびスパウト６を一体的に支持する部材である。スパウト６は、湯水を吐水するための吐水口８を形成する部材である。スパウト６は「吐水管」、「シャワーヘッド」とも称する。スパウト６は図１の矢印Ｐで示すように、本体部４に接続される基端側から、吐水口８を形成する先端側に向かって延びる。スパウト６の先端にはプッシュボタン１０が設けられる。吐水口８にはシャワーフェイス１２が取り付けられている。シャワーフェイス１２は、湯水を吐水する複数の散水孔を形成した部材であり、「散水板」、「吐水部」とも称する。
【００１５】
ユーザがレバー５を操作することで、シャワーフェイス１２からの吐水／止水の切替え、および、吐水温度の調節を行うことができる。ユーザがプッシュボタン１０を操作することで、シャワーフェイス１２からの吐水をシャワー吐水とストレート吐水の間で切り替えることができる。詳細な機構については後述する。
【００１６】
実施形態１では特に、シャワーフェイス１２がアクリル樹脂（ＰＭＭＡ樹脂）で形成されている。アクリル樹脂は水垢などが着きにくく、清掃性（防汚性）に優れた材料である。このように、湯水を吐水する部分であるシャワーフェイス１２の材料にアクリル樹脂を用いることで、水栓２の清掃性を向上させることができる。なお、ネジ山のような細かな形状を成形することに関しては、アクリル樹脂よりもＡＢＳ樹脂、ポリアセタール（ＰＯＭ）などが優れている。
【００１７】
図３、図４に示したスパウト６の内部構成について、図５、図６を用いて説明する。図５は、図３のＡ−Ａ断面図であり、図６は、図４のＢ−Ｂ断面図である。
【００１８】
図５、図６に示すように、スパウト６の内部には流路形成部１４が設けられている。流路形成部１４は、前述したシャワーフェイス１２から吐水するための湯水の流路を形成する部材である。流路形成部１４に対しては、上流側にある湯水供給源（図示せず）から湯水が供給される。
【００１９】
図６に示すように、流路形成部１４は管部１５を備える。管部１５は、第１の流路１６と第２の流路１８を内部に形成する管状の部材である。第１の流路１６はストレート吐水用の流路であり、第２の流路１８はシャワー吐水用の流路である。第１の流路１６と第２の流路１８はともにシャワーフェイス１２の吐水孔に接続される。
【００２０】
流路形成部１４はさらに、第１の流路１６と第２の流路１８を選択的に切り替えるための流路切替部２０を備える。流路切替部２０は、弁玉２２（図６）と、弁玉保持部２４と、カム機構２６（図５）と、リンク２８と、オルタネート機構３０とを備える。
【００２１】
弁玉２２は、第１の流路１６および第２の流路１８のいずれか一方の上流端を選択的に閉じる弁体である。弁玉２２は、スパウト６の軸方向Ｃを中心とする回転運動が可能に設けられている。弁玉２２は、第１の流路１６を閉じる第１の位置と、第２の流路１８を閉じる第２の位置の間で回転可能であり、図６では第１の位置にある状態が示される。この状態では、第２の流路１８を通じてシャワーフェイス１２からシャワー吐水が行われる。
【００２２】
弁玉保持部２４は、弁玉２２を保持する部材である。弁玉保持部２４はカム機構２６（図５）に接続されている。カム機構２６は、プッシュボタン１０の押し込みによる軸方向Ｃの直線運動を、スパウト６の軸方向Ｃを中心とする回転運動に変換する部材である。カム機構２６はリンク２８の第２リンク２８ｂに接続されている。
【００２３】
リンク２８は、前述したカム機構２６と、後述するオルタネート機構３０を互いに接続する部材である。リンク２８はプッシュボタン１０の内側に取り付けられており、プッシュボタン１０の押し込みに応じてスパウト６の軸方向Ｃに沿って移動する。リンク２８は２つの分岐する枝部として、第１リンク２８ａおよび第２リンク２８ｂを備える。第１リンク２８ａはオルタネート機構３０に接続され、第２リンク２８ｂはカム機構２６に接続される。
【００２４】
オルタネート機構３０は、プッシュボタン１０の押込み状態と非押込み状態の２つの状態をそれぞれ維持する機構である。オルタネート機構３０は、バネ３２Ａ、３２Ｂなどを含むノック式の機構を備える。
【００２５】
このような構成によれば、プッシュボタン１０の押込み操作によって、弁玉２２が第１の流路１６を閉じる第１の位置と、第２の流路１８を閉じる第２の位置で移動し、シャワーフェイス１２からの吐水をストレート吐水とシャワー吐水で相互に切り替えることができる。
【００２６】
上述した流路切替部２０を含む流路形成部１４はスパウト６に挿入されて配置される。流路形成部１４をスパウト６に挿入する際には、スパウト６の一方側の端部にある開口から挿入する。これに関して図７−図９を用いて説明する。
【００２７】
図７−図９は、スパウト６単体の概略図である。図７は、スパウト６の側面図、図８は、スパウト６の下面図、図９は、スパウト６の斜視図である。
【００２８】
図７−図９に示すように、スパウト６には、軸方向Ｃにおける両側の端部にそれぞれ開口が形成されている。具体的には、スパウト６の先端側の端部には先端側開口３４が形成されており、スパウト６の基端側の端部には基端側開口３６が形成されている。
【００２９】
先端側開口３４は、前述したプッシュボタン１０を取り付けるための開口である。プッシュボタン１０を押圧する押圧方向Ｄ１は、スパウト６の先端側から基端側に向かう方向である。
【００３０】
基端側開口３６は、前述した流路形成部１４をスパウト６に挿入して位置決めするための開口である。流路形成部１４を基端側開口３６に挿入する挿入方向Ｄ２は、スパウト６の基端側から先端側に向かう方向である。
【００３１】
図８、図９に示すように、スパウト６の内壁３９には複数のリブ４０が形成されている。リブ４０は、スパウト６に挿入される流路形成部１４に当接して流路形成部１４を位置決めする部材である。リブ４０は、流路形成部１４に当接する当接面として機能する。実施形態１におけるリブ４０は、スパウト６の長手方向、すなわち軸方向Ｃに沿って延びる複数の突起で構成されている。実施形態１では上下に２本ずつ、合計４本のリブ４０が設けられている。それぞれのリブ４０は、先端側から基端側に向かって高さが漸増する突起として設けられる。
【００３２】
基端側開口３６を介してスパウト６に挿入される流路形成部１４は、前述した管部１５の外側表面でリブ４０に当接する。リブ４０は流路形成部１４の挿入方向Ｄ２への移動を規制する一方で、流路形成部１４の挿入方向Ｄ２とは逆方向、すなわち押圧方向Ｄ１への移動を規制しない。リブ４０に当接した流路形成部１４は挿入方向Ｄ２にはさらに移動できないものの、押圧方向Ｄ１には移動可能であり基端側開口３６から抜くことができる。
【００３３】
流路形成部１４がリブ４０に当接した状態で、前述したプッシュボタン１０が取り付けられる。具体的には、先端側開口３４を閉じるようにスパウト６の先端部にプッシュボタン１０が取り付けられる。プッシュボタン１０は、流路切替部２０のリンク２８にも取り付けられる。プッシュボタン１０を設けることによって、流路形成部１４は挿入方向Ｄ２だけでなく押圧方向Ｄ１への移動も規制される。これより、流路形成部１４はスパウト６内でいずれの方向にも移動しないように位置決め・固定される。
【００３４】
このようにスパウト６内に固定された流路形成部１４に対して、シャワーフェイス１２が連結される。シャワーフェイス１２と流路形成部１４の連結形態に関して、図１０Ａ―図１０Ｄを用いて説明する。
【００３５】
図１０Ａは、シャワーフェイス１２と流路形成部１４が連結する箇所の拡大断面図である。図１０Ｂ、図１０Ｃはともに、シャワーフェイス１２と流路形成部１４の連結方法を説明するための概略図である。図１０Ｂは連結前の状態を示し、図１０Ｃは連結後の状態を示す。図１０Ｄは、図１０Ａの一部拡大図である。
【００３６】
図１０Ａに示すように、流路形成部１４の管部１５は、その先端部に２つの筒状の部分として、第１筒状部４２および第２筒状部４４を備える。第１筒状部４２は、第２筒状部４４の内側に設けられた筒状の部分であって、ストレート吐水用の第１の流路１６を内側に形成する。第２筒状部４４は、第１筒状部４２の外側に間隔を空けて設けられた筒状の部分であって、第１筒状部４２との間にシャワー吐水用の第２の流路１８を形成する。
【００３７】
シャワーフェイス１２は特に第２筒状部４４に連結される。シャワーフェイス１２と第２筒状部４４との連結形態については後述する。一方で、第１筒状部４２とシャワーフェイス１２は単に接触するのみであり、互いに連結はされていない。
【００３８】
第２筒状部４４に連結されるシャワーフェイス１２は、吐水板４８と、筒状部５０とを備える。吐水板４８は、スパウト６の外側に露出して吐水孔を形成する部材である。筒状部５０は、吐水板４８を保持する部材である。実施形態１では吐水板４８と筒状部５０は一体的に形成される。このような構成において、シャワーフェイス１２の筒状部５０が第２筒状部４４の突起４６に連結される。
【００３９】
図１０Ａに示すように、第２筒状部４４の外周部には突起４６が形成される。同様に、筒状部５０の内周部には突起５１が形成される。突起５１が突起４６に回転嵌合することで、シャワーフェイス１２の筒状部５０と流路形成部１４の第２筒状部４４とが連結される。
【００４０】
突起４６、５１の連結方法に関して、図１０Ｂ、図１０Ｃを用いて説明する。
【００４１】
図１０Ｂに示すように、第２筒状部４４の突起４６は、第２筒状部４４の外周部から外側に突出する突起である。本実施形態１における突起４６は、第２筒状部４４の外周部において対向する位置に２箇所設けられる。突起４６のそれぞれは、第２筒状部４４の外周の全周よりも短い長さで周方向Ｒに延びる。
【００４２】
同様に、筒状部５０の突起５１は、筒状部５０の内周部から内側に突出する突起である。本実施形態１における突起５１は、筒状部５０の内周部において対向する位置に２箇所設けられる。突起５１のそれぞれは、筒状部５０の外周の全周よりも短い長さで周方向Ｒに延びる。
【００４３】
図１０Ｂに示すように、静止している第２筒状部４４に対して筒状部５０を回転方向Ｒ１に回転させる。筒状部５０が回転方向Ｒ１に回転することにより、図１０Ｃに示すように、突起５１と突起４６が少なくとも部分的に重なって互いに係合する。これにより、突起５１が突起４６に引っ掛かった状態となり、筒状部５０を回転方向Ｒ１の逆方向に回転させない限り、筒状部５０と第２筒状部４４との連結を維持することができる。
【００４４】
このような突起４６および突起５１の回転嵌合によって連結を行うことにより、第２筒状部４４と筒状部５０にネジ山を設けて螺合させて連結する場合と異なり、ネジ山などの微細な形状を作る必要がなくなる。このため、第２筒状部４４を含む管部１５および筒状部５０を含むシャワーフェイス１２のそれぞれをアクリル樹脂で一体形成することができ、清掃性を高めることができる。このようにして、シャワーフェイス１２と流路形成部１４の連結を精度良く行いながら、水栓２の清掃性を向上させることができる。
【００４５】
特にシャワーフェイス１２は湯水を通水して特に汚れやすい部分であるため、アクリル樹脂により形成することで、水栓２の清掃性を効果的に向上させることができる。
【００４６】
またネジ山による螺合などの場合は連結部に定常的な応力がかかるのに対して、実施形態１のような連結形態によればシャワーフェイス１２と流路形成部１４の連結部にかかる定常的な応力はほとんどなく、大幅に小さい。これより、水栓２の破損を抑制することができる。
【００４７】
吐水板４８は２種類の吐水孔として、第１の吐水孔５２と第２の吐水孔５４を形成する。第１の吐水孔５２は、ストレート吐水用の吐水孔であり、第２の吐水孔５４は、シャワー吐水用の複数の散水孔による吐水孔である。第１の吐水孔５２は第１の流路１６に連通し、第２の吐水孔５４は第２の流路１８に連通する。
【００４８】
実施形態１における第２の吐水孔５４の直径は、０．２ｍｍ以上０．４ｍｍ以下に設定される。第２の吐水孔５４の直径をこのように短く設定することで、湯水の飛散性を向上させることができる。実施形態１ではシャワーフェイス１２をアクリル樹脂で形成しているため、第２の吐水孔５４にゴミが詰まりにくくなっている。よって、前述のように第２の吐水孔５４の直径を短く設定した場合でも所定の通水性を確保することができる。
【００４９】
このような構成において、流路形成部１４に連結されるシャワーフェイス１２はスパウト６には接触せずに連結されない。シャワーフェイス１２とスパウト６の非接触状態を図１０Ｄに示す。
【００５０】
図１０Ｄに示すように、シャワーフェイス１２の吐水板４８と、スパウト６の吐水口８を形成する内周縁部５６は互いに僅かに間隔を空けて配置されている。吐水板４８は湯水を通す通水部であるため、温度の高い湯水を通したときなどは温度が上昇して膨張しやすくなる。これに対して、吐水板４８とスパウト６の間隔を空けることで、互いの接触による破損を防ぐことができる。
【００５１】
図１０Ｄに示すように、吐水板４８とスパウト６の内周縁部５６にはそれぞれ対応する段差５８、６０が設けられている。段差５８、６０はともに、スパウト６の外側から内側に向かって、径方向に縮径した形状を有している。段差５８、６０の周辺では、吐水板４８とスパウト６の間隔Ｈ１が同程度に維持される。間隔Ｈ１は例えば、０．３ｍｍ以上０．５ｍｍ以下に設定してもよい。
【００５２】
このような段差５８、６０を設けることで、吐水板４８とスパウト６の境界部の奥側が見えにくくなる。これにより、水栓２の意匠性を向上させることができる。例えばスパウト６がシャワーフェイス１２と異材質で形成される場合は特に境界部が目立ちやすい。よって、段差５８、６０を設けることで、スパウト６と吐水板４８の隙間による外観の悪化を抑制し、水栓２の意匠性を効果的に向上させることができる。また段差５８、６０を設けることで、吐水板４８とスパウト６の境界部からスパウト６へ湯水が侵入しにくくなる。
【００５３】
図１０Ａに戻ると、スパウト６とプッシュボタン１０の間にはクッション材６２が設けられている。クッション材６２は、プッシュボタン１０の摺動を補助する部材である。
【００５４】
例えばスパウト６とプッシュボタン１０を同じ材料で形成した場合、プッシュボタン１０の摺動によって異音が生じやすくなる。このため、スパウト６とプッシュボタン１０の間にこれらとは異なる材料で形成したクッション材６２を設けることで、異音の発生を抑制することができる。
【００５５】
上述したように、実施形態１の水栓２によれば、スパウト６と、シャワーフェイス１２と、流路形成部１４とを備える。スパウト６は、湯水を吐水する吐水口８を形成する部材である。流路形成部１４は、スパウト６内に挿入されて、吐水口８から吐水される湯水の流路を形成する部材である。シャワーフェイス１２は、スパウト６の吐水口８に配置され、流路形成部１４の流路を流れる湯水をスパウト６の外部へ吐水する複数の吐水孔５２、５４を形成している。このような構成において、シャワーフェイス１２は、アクリル樹脂により一体形成されるとともに、流路形成部１４に連結される筒状の筒状部５０を有する。筒状部５０の内周部には、全周よりも短い長さで周方向Ｒに延びる突起５１が形成されている。突起５１が流路形成部１４の第２筒状部４４に回転嵌合することにより筒状部５０が連結される。
【００５６】
このような構成によれば、シャワーフェイス１２をアクリル樹脂で一体形成することで、シャワーフェイス１２の表面に水垢が固着しにくくなり、清掃性を向上させることができる。アクリル樹脂の場合、ＡＢＳ樹脂などに比べてネジ山などの細かな形状を成形するのが難しくなるが、シャワーフェイス１２は流路形成部１４に対して、筒状部５０の全周よりも短い長さで周方向Ｒに延びる突起５１の回転嵌合によって連結される。よって、シャワーフェイス１２にはネジ山などの形状を設ける必要がなくシャワーフェイス１２を流路形成部１４に連結することができる。このようにして、シャワーフェイス１２の連結を精度良く行いながら、水栓２の清掃性を向上させることができる。
【００５７】
また実施形態１の水栓２によれば、筒状部５０の突起５１が流路形成部１４の第２筒状部４４に設けた突起４６に回転嵌合して連結するため、シャワーフェイス１２だけでなく流路形成部１４にもネジ山などの形状を作る必要がなくなる。これにより、流路形成部１４にもアクリル樹脂のような清掃性の高い材料を適用することも可能となる等、設計の自由度を向上させることができる。
【００５８】
（実施形態２）
本発明に係る実施形態２の水栓について説明する。実施形態２では、主に実施形態１と異なる点について説明する。また、実施形態２においては、実施形態１と同一又は同等の構成については同じ符号を付して説明する。また、実施形態２では、実施形態１と重複する記載は省略する。
【００５９】
実施形態２では主に、シャワーフェイスと流路形成部の連結形態が実施形態１と異なる。特に実施形態１では、突起４６、５１の回転嵌合により連結していたが、実施形態２では貫通ピンを設けて連結している点が異なる。
【００６０】
図１１は、実施形態２の水栓７０におけるシャワーフェイス７２と流路形成部７４の連結箇所を示す拡大図である。図１１に示す水栓７０は、実施形態１の水栓２と同様のスパウト６およびプッシュボタン１０に加えて、実施形態１とは異なる構成のシャワーフェイス７２および流路形成部７４、並びに、貫通ピン７６および係止部材７８を備える。
【００６１】
前述した実施形態１では、シャワーフェイス１２および流路形成部１４にそれぞれ突起４６、５１が設けられていたが、実施形態２のシャワーフェイス７２の筒状部８０および流路形成部７４の第２筒状部８２にはいずれも突起は設けられていない。筒状部８０および第２筒状部８２の内周部および外周部はいずれも平坦な面で構成される。
【００６２】
さらに、シャワーフェイス７２の筒状部８０には貫通孔８０Ａが設けられている。同様に、流路形成部７４の第２筒状部８２にも貫通孔８２Ａが設けられている。これらの貫通孔８０Ａ、８２Ａには貫通ピン７６が挿通されている。貫通ピン７６によって、筒状部８０と第２筒状部８２とが連結されている。
【００６３】
貫通ピン７６の一方側の端部には拡径部８４が設けられている。拡径部８４は、貫通ピン７６における他の部分よりも軸方向に交差する方向に拡大した部分である。拡径部８４に当接する位置に係止部材７８が設けられている。係止部材７８は、貫通ピン７６において拡径部８４が設けられた一方側の端部に当接することにより貫通ピン７６を係止する。本実施形態２の係止部材７８はスパウト６の内周部８６に取り付けられている。
【００６４】
実施形態１と同様に、シャワーフェイス７２はアクリル樹脂により一体形成されている。
【００６５】
上述したように、実施形態２の水栓７０では、シャワーフェイス７２はアクリル樹脂により一体形成されるとともに、流路形成部７４に対して貫通ピン７６により連結されている。このような構成によれば、実施形態１と同様にシャワーフェイス７２にネジ山などの微細な形状が必要ではないため、シャワーフェイス７２を清掃性の高いアクリル樹脂で一体形成することができる。これにより、シャワーフェイス７２の表面に水垢が固着しにくくなり、清掃性を向上させることができる。
【００６６】
また実施形態２の水栓７０では、貫通ピン７６がシャワーフェイス７２と流路形成部７４を貫通することにより、シャワーフェイス７２とスパウト６を連結した場合よりも貫通ピン７６を内側に配置することができる。これにより、貫通ピン７６を外側にできるだけ露出しないように配置することができ、水栓７０の意匠性を向上させることができる。
【００６７】
また実施形態２の水栓７０はさらに、貫通ピン７６を係止する係止部材７８を備えている。このような係止部材７８を設けることで、貫通ピン７６による連結をより強固に行うことができる。
【００６８】
また実施形態２の水栓７０では、係止部材７８はスパウト６の内周部８６に取り付けられる。このような構成によれば、係止部材７８を外側に露出しないように配置することができ、水栓７０の意匠性を向上させることができる。
【００６９】
（実施形態３）
本発明に係る実施形態３の水栓について説明する。実施形態３では、主に実施形態１と異なる点について説明する。また、実施形態３においては、実施形態１と同一又は同等の構成については同じ符号を付して説明する。また、実施形態３では、実施形態１と重複する記載は省略する。
【００７０】
実施形態３では主に、シャワーフェイスと流路形成部の連結形態が実施形態１と異なる。特に実施形態１では、突起４６、５１の回転嵌合により連結していたが、実施形態３では、突起同士のスナップフィット（snap fit）により連結している点が主に異なる。
【００７１】
図１２は、実施形態３の水栓９０におけるシャワーフェイス９２と流路形成部９４の連結箇所を示す拡大図である。図１２に示す水栓９０は、実施形態１の水栓２と同様のスパウト６およびプッシュボタン１０に加えて、実施形態１とは異なる構成のシャワーフェイス９２および流路形成部９４を備える。
【００７２】
図１２に示すように、シャワーフェイス９２の筒状部９６の先端には径方向内側に突出する突起９８が設けられている。同様に、流路形成部９４の第２筒状部１００の先端には径方向外側に突出する突起１０２が設けられている。
【００７３】
突起９８、１０２のスナップフィットによる連結方法について、図１３Ａ、図１３Ｂを用いて説明する。図１３Ａは、連結前の状態を示し、図１３Ｂは連結後の状態を示す。
【００７４】
図１３Ａに示すように、突起１０２は、スライド面１０４と、係止面１０６とを有する。
【００７５】
スライド面１０４は、上昇する突起９８をスライドさせる面である。スライド面１０４は、第２筒状部１００の先端側から基端側に向かって径方向外側に広がるように傾斜している。突起９８を有する筒状部９６がＰ方向に上昇したときに、突起９８をスライド面１０４に当接させながら筒状部９６を上昇させることができる。上昇後、図１３Ｂに示すように、突起９８と突起１０２はいわゆるスナップフィットによる連結関係となる。
【００７６】
図１３Ａに示す係止面１０６は、上方に移動した突起９８を係止する面である。
【００７７】
図１３Ａに示すように、突起９８を有する筒状部９６には凹部１０８が形成されている。凹部１０８は、第１の面１０７と第２の面１０９とにより構成されている。図１３Ｂに示す連結後の状態において、第１の面１０７は突起１０２の係止面１０６に接触して係止される。第２の面１０９は、スライド面１０４に対向する位置に配置される。
【００７８】
実施形態１、２と同様に、シャワーフェイス９２はアクリル樹脂により一体形成されている。
【００７９】
上述したように、実施形態３の水栓９０では、シャワーフェイス９２はアクリル樹脂により一体形成されるとともに、流路形成部９４に連結されており、さらに当該連結をスナップフィットで行うための突起９８を備える。このような構成によれば、実施形態１と同様に、シャワーフェイス９２にネジ山などの微細な形状が必要ではないため、シャワーフェイス９２を清掃性の高いアクリル樹脂で一体形成することができる。これにより、シャワーフェイス９２の表面に水垢が固着しにくくなり、清掃性を向上させることができる。
【００８０】
また実施形態３の水栓９０では、シャワーフェイス９２の突起９８は、流路形成部９４に設けられた突起１０２に係合してスナップフィットによる連結を行う。このように、シャワーフェイス９２と流路形成部９４がスナップフィットにより連結することで、シャワーフェイス９２だけでなく流路形成部９４にもネジ山などの形状を作る必要がなくなる。このため、流路形成部９４の材料として例えばアクリル樹脂のような清掃性の高い材料を適用することも可能となり、設計の自由度を向上させることができる。
【００８１】
（実施形態４）
本発明に係る実施形態４の水栓について説明する。実施形態４では、主に実施形態３と異なる点について説明する。また、実施形態４においては、実施形態３と同一又は同等の構成については同じ符号を付して説明する。また、実施形態４では、実施形態３と重複する記載は省略する。
【００８２】
実施形態３では、シャワーフェイス９２を流路形成部９４に連結していたが、実施形態４では、シャワーフェイス１１２をスパウト１１１に連結する点が主に異なる。
【００８３】
図１４は、実施形態４の水栓１１０におけるスパウト１１１とシャワーフェイス１１２の連結箇所を示す拡大図である。
【００８４】
図１４に示す水栓１１０は、実施形態３の水栓９０と同様のプッシュボタン１０に加えて、実施形態３とは異なる構成のスパウト１１１、シャワーフェイス１１２および流路形成部１１４を備える。
【００８５】
図１４に示すように、シャワーフェイス１１２の筒状部１１６の先端には径方向内側に突出する突起１１８が設けられている。同様に、スパウト１１１の筒状部１２０の先端には径方向外側に突出する突起１２２が設けられている。
【００８６】
突起１１８、１２２のスナップフィットによる連結方法は、図１３Ａ、図１３Ｂを用いて説明した実施形態３の連結方法と同様であるため、説明を省略する。
【００８７】
実施形態１―３と同様に、シャワーフェイス１１２はアクリル樹脂により一体形成されている。
【００８８】
上述したように、実施形態４の水栓１１０では、シャワーフェイス１１２はアクリル樹脂により一体形成されるとともに、スパウト１１１に連結されており、さらに当該連結をスナップフィットで行うための突起１１８を備える。このような構成によれば、実施形態３と同様に、シャワーフェイス１１２にネジ山などの微細な形状が必要ではないため、シャワーフェイス１１２を清掃性の高いアクリル樹脂で一体形成することができる。
【００８９】
また実施形態４の水栓１１０では、シャワーフェイス１１２の突起１１８は、スパウト１１１に設けられた突起１２２に係合してスナップフィットによる連結を行う。このように、シャワーフェイス１１２がスパウト１１１と連結することで、シャワーフェイス１１２だけでなくスパウト１１１にもネジ山などの形状を作る必要がなくなる。このため、スパウト１１１の材料として例えばアクリル樹脂のような清掃性の高い材料を適用することも可能となり、設計の自由度を向上させることができる。
【００９０】
なお、本発明は前記実施形態に限定されるものではなく、その他種々の態様で実施できる。例えば、実施形態１−４では、水栓がシングルレバー式の水栓装置である場合について説明したが、このような場合に限らず、シングルレバー式以外の水栓装置であってもよい。また実施形態１、２では、シャワーフェイスを流路形成部と連結する場合について説明したが、実施形態４と同様に、シャワーフェイスをスパウトと連結するようにしてもよい。また、ポリアセタール、ＡＢＳ樹脂などは例示の材質であって、これらの材質に限定されない。
【００９１】
なお、上記様々な実施形態および変形例のうちの任意の実施形態を適宜組み合わせることにより、それぞれの有する効果を奏するようにすることができる。
【００９２】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【００９３】
本発明は、水栓に有用である。
【符号の説明】
【００９４】
２  水栓
４  本体部
５  レバー
６  スパウト
８  吐水口
１０  プッシュボタン
１２  シャワーフェイス
１４  流路形成部
１５  管部
１６  第１の流路
１８  第２の流路
２０  流路切替部
２２  弁玉
２４  弁玉保持部
２６  カム機構
２８  リンク
３０  オルタネート機構
３２Ａ、３２Ｂ  バネ
３４  先端側開口
３６  基端側開口
３９  内壁
４０  リブ（当接面）
４２  第１筒状部
４４  第２筒状部
４６  突起
４８  吐水板
５０  筒状部
５１  突起
５２  第１の吐水孔
５４  第２の吐水孔
５６  内周縁部
５８、６０  段差
７０  水栓
７２  シャワーフェイス
７４  流路形成部
７６  貫通ピン
７８  係止部材
８０  筒状部
８０Ａ  貫通孔
８２  第２筒状部
８２Ａ  貫通孔
８４  拡径部
９０  水栓
９２  シャワーフェイス
９４  流路形成部
９６  筒状部
９８  突起
１００  第２筒状部
１０２  突起
１０４  スライド面
１０６  係止面
１０７  第１の面
１０８  凹部
１０９  第２の面
１１０  水栓
１１１  スパウト
１１２  シャワーフェイス
１１４  流路形成部
１１６  筒状部
１１８  突起
１２０  筒状部
１２２  突起
【図１】
2019116796.tif 000003
【図２】
2019116796.tif 000004
【図３】
2019116796.tif 000005
【図４】
2019116796.tif 000006
【図５】
2019116796.tif 000007
【図６】
2019116796.tif 000008
【図７】
2019116796.tif 000009
【図８】
2019116796.tif 000010
【図９】
2019116796.tif 000011
【図１０Ａ】
2019116796.tif 000012
【図１０Ｂ】
2019116796.tif 000013
【図１０Ｃ】
2019116796.tif 000014
【図１０Ｄ】
2019116796.tif 000015
【図１１】
2019116796.tif 000016
【図１２】
2019116796.tif 000017
【図１３Ａ】
2019116796.tif 000018
【図１３Ｂ】
2019116796.tif 000019
【図１４】
2019116796.tif 000020